(57)【要約】【課題】  フィルタ体の吸着能を低下させず、圧力損失を上昇させずに構成されるフィルタユニットと、このフィルタユニットを備えて小型化が可能なフィルタ装置を提供する。【解決手段】  一端面から反対側に位置する他端面に貫通して延びる多数の小孔が形成されるフィルタ体６０と、小孔が開口する端面が開放した空間が形成されるようにフィルタ体の外面を覆って設ける外覆部材１６３と、外覆部材１６３に一体に設けて小孔が開口する端面が開放した空間を複数の仕切空間１７２ａ，１７３ｂ，１７３ａ，１７３ｂに仕切る仕切部１６４ａ，１６４ｂとを備え、一端面が開放した空間と他端面が開放した空間とを往復する折返流路１７０を形成してフィルタユニット１６０を構成する。また、このフィルタユニット１６０と、フィルタユニット１６０を収容可能でフィルタユニットの入口孔１６５ｂと出口孔１６６ｂにそれぞれ連通する流入孔１５５ｂと流出孔１５６ｂを設けたケース１５３とによってフィルタ装置１５０を構成する。【選択図】図１
2005229961.tif 000002
【特許請求の範囲】
【請求項１】
一端面から反対側に位置する他端面に貫通して延びる多数の小孔が形成されるとともに、前記小孔の内面に吸着材が設けられてなるフィルタ体と、
前記一端面および前記他端面が開放する空間が形成された状態として前記フィルタ体の外面を覆って設けられる外覆部材と、
前記外覆部材に一体に設けられて前記一端面が開放する空間と前記他端面が開放する空間との少なくともいずれか一方に少なくとも１つ設けられて当該空間を複数の仕切空間に仕切る仕切部とを有し、
１つの前記仕切空間に開口する小孔が反対側の端面が開放する空間に開口し、前記反対側の端面が開放する空間に開口する残りの小孔が前記１つの仕切空間と前記仕切部を介して隣り合う仕切空間に開口して前記１つの仕切空間が前記隣り合う仕切空間と前記小孔を介して連通し、
それぞれ連通した複数の前記仕切空間の一端の前記仕切空間に入口孔が設けられ、他端の前記仕切空間に出口孔が設けられ、
前記入口孔から前記出口孔に至って、前記一端面が開放する空間と前記他端面が開放する空間とを往復する折返流路が形成されることを特徴とするフィルタユニット。
【請求項２】
前記フィルタ体は、有機物を吸着する吸着材が設けられてなる２種以上のフィルタ体が積層され、臭気成分を吸着する吸着材が設けられてなるフィルタ体を少なくとも１つを備えて構成されることを特徴とする請求項１に記載のフィルタユニット。
【請求項３】
請求項１もしくは２に記載のフィルタユニットと、
前記フィルタユニットを収容するとともに、前記フィルタユニットの前記入口孔に連通する流入孔と、前記フィルタユニットの前記出口孔に連通する流出孔とが設けられるケースとからなることを特徴とするフィルタ装置。
【請求項４】
鋼球、メダル等の遊技媒体を介して遊技に供される遊技機において、前記遊技機の前面に立設されて前記遊技媒体の貯留部などを備える前覆部に喫煙用の灰皿が前面に突出して設けられており、
両端に開口を有して形成されて一端開口が前記灰皿の近傍に繋げられるとともに他端開口が前記流入孔に繋げられる管材と、前記流入孔から前記流出孔に流れる気流を形成する送風手段とが設けられ、
前記ケースが前記前覆部の背面側に配設されることを特徴とする請求項３に記載のフィルタ装置。
【請求項５】
前記遊技機は、前面開口を有して略矩形箱状に形成されるキャビネット部材の前記前面開口に開閉自在に前記前覆部を取り付けて成形される筐体内部に遊技装置が配設され、前記前覆部を閉鎖姿勢として遊技に供される箱型遊技機であって、
前記ケースが前記前覆部の背面側に配設されることを特徴とする請求項４に記載のフィルタ装置。
【発明の詳細な説明】
【技術分野】
【０００１】
一端面から反対側に位置する他端面に貫通して延びる多数の小孔が形成されるとともに、この小孔の内面に吸着材が設けられてなるフィルタ体を有するフィルタユニットと、このフィルタユニットを備えて構成されるフィルタ装置に関する。
【背景技術】
【０００２】
上記フィルタ体には、例えば、粉末活性炭あるいは繊維状活性炭を湿式抄紙法により吸着剤混抄紙に加工し、この混抄紙から平坦なシートと断面波形状のシートを作成し、両シートを交互に積層接着することにより縦横方向に並ぶ複数の小孔を一端面から反対側の端面に貫通して延びるように形成したものがある。これら小孔はそれぞれが一軸方向に延びる独立した流路としての機能を果たしており、例えば有機ガスを含む汚染空気が一端面に開口する小孔に流入すると、小孔内を通過する過程で内面の活性炭に有機物質が捕集吸着され、反対側の端面の開口から清浄化された状態で流出する。このようなフィルタ体は、紙材であることから所望サイズへの加工が比較的容易であるとともに、抄紙する活性炭に例えば特定の薬品を坦持させて浄化対象物質の特化を図ることが可能である等の特長を有し、気相用途の吸着材として広く利用されている。
【０００３】
また、吸着剤混抄紙によって成形されるフィルタ体を気相用途の吸着材として用いて構成されるフィルタ装置は、このフィルタ体を収容するケース、ケース内に気流を形成して汚染空気をフィルタ体に導く送風ファンなどの送風手段などを取り付けて構成される。このようなフィルタ装置が組み込まれる換気機器を装備する施設として、例えばパチンコ機等の縦型遊技機、スロットマシン等の箱型遊技機を取り扱う遊技施設などがある。
【発明の開示】
【発明が解決しようとする課題】
【０００４】
上記遊技機は、前面を覆って設けられる前覆部に鋼球やメダル等の遊技媒体を受容貯留する貯留部、遊技操作を行うための操作部とともに喫煙用の灰皿が設けられており、喫煙しながら遊技を行う遊技者がしばしば見受けられるが、上記遊技施設においては限られたスペースに多数の遊技機を配置するために各遊技機が左右方向に近接立設されて遊技者間の間隔が狭く設定されているとともに、禁煙スペースを設定して１つのフロアを分煙化することが接客営業上困難であり、左右の遊技者の喫煙に伴う副流煙害に対する対策の要請が高まっている。また、防音あるいは空調の見地から閉空間であることが好ましく施設内に汚染空気が充満する傾向にあるといった問題もあり、施設全体に蔓延するタバコ臭に対する対策の要請も同様に高まっている。このような環境下にある遊技施設においては、天井および壁面、あるいは遊技機を設置する設置枠台（遊技島）に吸入口を設けた換気機器を導入する等の対策を講じているが、近接する左右の喫煙遊技者のタバコによる副流煙害に対しては依然として充分なものとはいえず、より効率的な空気清浄手段、脱臭手段が求められている。
【０００５】
さらに、上記換気機器に組み込まれるようなフィルタ装置を配設するにあたってレイアウト上の制約がある場合は、吸着能を低下させずに装置全体を小型化するためにフィルタ体の密度を高くするあるいは厚さを増やす等の対応がなされるが、このように装置を構成することによってフィルタ体を通過するときの圧力損失が大きくなることから送風ファンの出力性能を向上させなければならず、機械的騒音が大きくなるととともに製造コストが上昇してしまうという問題があった。
【０００６】
ところで、パチンコ機、スロットマシン等の遊技機の前覆部の背面側には、遊技機の動作を制御する電子回路を配置した遊技制御基板等の遊技装置が設けられている。これら基板は遊技中に電子回路が発した熱によって温度が上昇することにより、電子回路の誤作動あるいは耐用期間の短縮が起こり得るといった問題があった。特に、スロットマシン等の箱型遊技機においては、遊技中には密閉空間となる矩形箱状のキャビネット内に遊技装置が配設されていることから、基板の電子回路からの発熱が蓄積されやすい傾向にあり問題となっている。
【０００７】
上記問題に鑑みて本発明は、一端面から反対側に位置する他端面に貫通して延びる多数の小孔が形成されるとともに、この小孔の内面に吸着材が設けられてなるフィルタ体において、フィルタ体の吸着能を低下させず、圧力損失を上昇させず、且つ装置の小型化を可能としたフィルタユニットと、このフィルタユニットを備えて構成されるフィルタ装置を提供することを目的とする。
【課題を解決するための手段】
【０００８】
上記目的達成のため本発明に係るフィルタユニットは、一端面から反対側に位置する他端面に貫通して延びる多数の小孔が形成されるとともに、これら小孔の内面に吸着材が設けられてなるフィルタ体と、小孔が開口する一端面および他端面が開放する空間を形成してフィルタ体の外面を覆って設けられる外覆部材と、この外覆部材に一体に設けられて一端面が開放する空間と他端面が開放する空間との少なくともいずれか一方に少なくとも１つ設けられて当該空間を複数の仕切空間に仕切る仕切部とを有して構成しており、この複数の仕切空間のうちの１つに開口する小孔が反対側の端面が開放する空間に開口し、反対側の端面が開放する空間に開口する残りの小孔がこの仕切空間と仕切部を介して隣り合う仕切空間に開口し、それぞれの仕切空間が隣り合う仕切空間とフィルタ体の小孔を介して連通するように構成している。このようにして連通した複数の仕切空間の一端に入口孔を設け、他端に出口孔を設け、入口孔から出口孔に至って一端面が開放する空間と他端面が開放する空間とを往復する折返流路を形成している。
【０００９】
また、上記フィルタユニットのフィルタ体を、有機物を吸着する吸着材が設けられてなる２種以上のフィルタ体を積層し、臭気成分を吸着する吸着材が設けられてなるフィルタ体を少なくとも１つを備えて構成することが好ましい。
【００１０】
そして、本発明に係るフィルタ装置は、上記フィルタユニットと、このフィルタユニットを収容するとともに、フィルタユニットの入口孔に連通する流入孔と、フィルタユニットの出口孔に連通する流出孔とを設けるケースとから構成している。
【００１１】
なお、上記フィルタ装置は、鋼球あるいはメダル等の遊技媒体を介して遊技に供される遊技機において、遊技機の前面に設けられて遊技媒体の貯留部などを備える前覆部に喫煙用の灰皿が前面に突出して設けられており、両端に開口を有して形成されて一端開口が灰皿の近傍に繋げられるとともに、他端開口が入口孔に繋げられる管材と、入口孔から出口孔に流れる気流を形成する送風手段とを設け、ケースを遊技機の前覆部の背面側に配設してもよい。
【００１２】
なお、上記遊技機は、前面開口を有して略矩形箱状に形成されるキャビネット部材の前面開口に開閉自在に前覆部を取り付けて成形される筐体内部に遊技装置が配設され、前覆部を閉鎖姿勢として遊技に供される箱型遊技機であって、ケースを前覆部の背面側に配設してもよい。
【発明の効果】
【００１３】
本発明に係るフィルタユニットは、フィルタ体の両側にフィルタ体の小孔が開口する端面が開放する空間を形成するように外覆部材でフィルタ体の外側を覆い、この空間を仕切る仕切部を外覆部材に一体に設けて複数の仕切空間を形成し、フィルタ体の両側の空間を往復する折返流路が形成されるようにフィルタ体をパッケージして構成している。このような構成により、フィルタユニット内に流入する流体をフィルタ体の小孔内に複数回数通過させることができ、装置内に流入する流体がフィルタ体の小孔内を通過する距離を伸ばすことができる。このため、フィルタ体を小孔が延びる方向に小さく形成しても吸着能を低下させずにフィルタユニットを製作することができ、フィルタユニットを小型化することができる。同時に、フィルタ体のサイズ縮小に際して小孔の大きさを小さくする等して密度を高くする必要もないためケース内での圧力損失の上昇を抑えたフィルタユニットを提供することができる。
【００１４】
また、上記フィルタユニットのフィルタ体は臭気成分の吸着に特化した活性炭を設けたフィルタ体を少なくとも１つ備えて２種以上のフィルタ体を積層して構成している。このように、目的、用途に応じてフィルタ体を選択して積層構成することにより、フィルタユニットの機能性を向上させることができる。
【００１５】
また、上記フィルタユニットと、このフィルタユニットを収容するケースとから本発明に係るフィルタ装置は構成される。フィルタ体の小孔が延びる方向にサイズ縮小が可能となったフィルタユニットを収容して構成されるため、フィルタ装置全体の小型化が可能となり、従来ではレイアウト上の問題から装置の配設が困難であったような狭小なスペースの周辺において、より効率的な浄化を行うことができる。
【００１６】
さらに、流路を折り返すために設けられる仕切部がフィルタユニットに一体に形成されているため、流路の折り返し回数を変更するといった場合においても折り返し回数が変更されたフィルタユニットに交換するのみで対応できる。
【００１７】
また、小型化が可能となった上記フィルタ装置は、前面に遊技媒体の貯留部とともに喫煙用灰皿が配設される遊技機の前覆部の背面側に配設することができる。フィルタ装置に入口孔から出口孔に流れる気流を形成するファンを取り付け、両端が開口した管材の一端開口を灰皿の近傍に繋げて他端開口を入口孔に繋げて装置を構成することにより、例えば、喫煙遊技者のタバコが灰皿に置かれて副流煙が立ち上るといった状況にあっても、灰皿近傍に繋げられた管材の開口からケースに副流煙が導かれる。このため、遊技機の前面側におけるより効率的な空気浄化を図ることができ、副流煙害を被ることのない快適な遊技環境を周囲の遊技者に提供することができる。
【００１８】
また、上記遊技機が、前覆部とキャビネットとを有してキャビネット内に遊技装置を配設して構成され、遊技中は前覆部を閉鎖姿勢としてキャビネット内が密閉される箱形遊技機である場合は、上記フィルタ装置をこの前覆部の背面側に配設することによってフィルタ体の小孔内を通過して清浄化した空気を密閉されたキャビネット内に放出することができる。これにより、箱型遊技機の前面側のより効率的な空気浄化を図ることができるとともに、清浄空気がキャビネット内に放出されることによってキャビネット内に配設される制御基板等の遊技装置の発熱を拡散させることができ、遊技装置の誤作動あるいは耐用期間の短縮の防止に寄与することができる。
【発明を実施するための最良の形態】
【００１９】
本発明に係るフィルタ装置を配設する遊技機の一例として挙げるスロットマシンの全体的な構成について、図９，図１０を参照してまず説明する。このスロットマシンＳＭは、前面に矩形状の開口を有した略矩形箱状に形成されるキャビネット１と、このキャビネット１の左側縁部にスライドヒンジを介して開閉可能に取り付けられる前扉２とから構成される箱型遊技機の一種である。
【００２０】
キャビネット１は、図１０に側断面図を示すように矩形箱状に形成されており、キャビネット１内には、リール装置Ｒ、制御基板Ｂ、電源ボックスなどの遊技装置が配設される。前扉２は、キャビネット１の矩形状開口を覆う形状に形成されたフレームに、上パネル部２１、中パネル部２２、下パネル部２３を備えて成形されるとともに、遊技媒体である遊技メダルを受容、貯留する受け皿２４ａを有する受皿部２４、遊技操作のための操作部３０などを前面に設けて構成されている。
【００２１】
上パネル部２１には、背面に配設されるスピーカが発する効果音を正面側に放音するスリット状の放音部２１ａ、カラー画像を表示する液晶ディスプレイ等で形成され遊技状態に応じた画像表示を行う表示装置２１ｂなどが設けられている。
【００２２】
中パネル部２２には、キャビネット１内に配設されるリール装置Ｒの３つのリールＲａ，Ｒｂ，Ｒｃのそれぞれの外周面に描かれた図柄を所定範囲に限って視認可能に透過表示させる表示窓２２ａ、スロットマシンにクレジット状態となっているメダル数を表示するクレジット表示部２２ｂなどが配設されるとともに、遊技者が遊技操作するための操作部３０が下端に設けられる。
【００２３】
操作部３０には、遊技メダルを投入するメダル投入口３１、１回の遊技に消費するメダル枚数を決定するベットボタン３２、リールの回転起動操作を行うスタートレバー３３、３つのリールＲａ，Ｒｂ，Ｒｃに対応して設けられリールの回転停止をリールごとに操作可能なストップスイッチ３４ａ，３４ｂ，３４ｃ、獲得した遊技メダルの払出操作を行う精算スイッチ３５、メダル投入口３１から投入した遊技メダルを返却させるときに操作するメダル返却スイッチ３６などが設けられている。
【００２４】
下部パネル部２３には、本スロットマシンＳＭのゲーム内容に関連した画像等（図示略）が描かれている。さらに下部パネル２３の下方に遊技メダルを受容するための受皿部２４が設けられている。この受皿部２４は、上面が開放されて遊技メダルを貯留可能なメダル受け皿２４ａ、メダル払出装置から払い出される遊技メダルを前面に払い出すメダル払出口２４ｂ、背面側に配設されるスピーカが発する効果音を前面側に放音するパンチングメタル状の放音部２４ｃなどが設けられる。
【００２５】
また、受皿部２４においては、遊技者が喫煙しながら遊技を行えるように、上面を開放して形成される灰皿２４ｄがメダル受け皿２４ａの左側部に設けられている。さらに、この灰皿２４ｄの上方部には前後に貫通する丸孔（図示せず）が穿設されており、この貫通孔には図９に示すようにパンチングメタル５１が正面側から覆設されている。
【００２６】
このスロットマシンＳＭは、図９に正面図を示すように、キャビネット１および前扉２の互いの右側縁部に設けられる施錠装置により、常には前扉２を閉鎖姿勢とし、キャビネット１内部を密閉空間として遊技に供される。キャビネット１内は遊技中に密閉空間となって熱を蓄積しやすいため、図示するように例えばキャビネット１の背面には、熱を外部に放出するための排気孔１１が設けられている。
【００２７】
続いて、本発明に係るフィルタユニットについて図１，２を参照して説明する。ここで、図１はフィルタユニットの外観図、図２はフィルタユニットの断面図を示している。本実施例のフィルタユニット１６０は、一端面から反対側に位置する他端面に貫通して延びる多数の小孔６１ａ，６２ａが形成されてなるフィルタ体６０と、小孔が開口する端面が開放する状態でフィルタ体の外側を覆って設けられる側覆紙１６３と、小孔が開口する端面が開放する空間を形成するように設けられる第１及び第２仕切蓋１６５，１６６と、この空間を仕切るように第１及び第２仕切蓋１６５，１６６にそれぞれ一体に設けられる仕切部１６４ａ，１６４ｂとから構成される。
【００２８】
本実施例におけるフィルタユニット１６０のフィルタ体６０は、第１フィルタ体６１と第２フィルタ体６２の２つを重ねて構成されている。第１及び第２フィルタ体６１，６２は、例えば、粉末状あるいは繊維状の活性炭を湿式抄紙法などの公知の手段によって活性炭シートに加工成形し、この活性炭シートから平坦なシートと断面波形状のシートとを作成して両シートを交互に積層接着することによって形成している。このように形成される第１及び第２フィルタ体６１，６２は、一端面から反対側に位置する他端面に貫通して延びる多数の小孔６１ａ，６２ａが形成されており、この小孔のそれぞれが汚染空気を流通させる流路としての機能を果たし、それぞれの内面で抄紙された活性炭による汚染物質の吸着が行われるようになっている。このようにして形成される第１及び第２フィルタ体６１，６２は、小孔６１ａ，６２ａが開口する両端面がケース５３内寸に同寸の直方体状に形成されており、両フィルタ体６１，６２の小孔が整合するように重ねられてフィルタ体６０が形成される。なお、第１フィルタ体６１に用いられる活性炭は、例えば公知技術に見られるようにモルホリン、ピペリジン等の低分子量の環状飽和第二級アミン等が坦持されてホルムアルデヒド、アセトアルデヒド等の低級アルデヒド類の吸着に特化したフィルタ体となっている。
【００２９】
このようにして構成されるフィルタ体６０の側面に、フィルタ体の小孔６１ａ，６２ａが開口する端面が開放した状態となるように、紙材によって形成された側覆紙１６３が筒状に覆って設けられる。
【００３０】
筒状に設けられた側覆紙１６３の両端に形成された開口を覆って、同様に紙材で形成された第１仕切蓋１６５及び第２仕切蓋１６６が設けられ、小孔６１ａ，６２ａが開口する端面が開放する空間（第１空間１７１ａ，第２空間１７１ｂ）が形成される。なお、図示するように第１及び第２仕切蓋１６５，１６６は、それぞれ第１及び第２空間の一部を開放するように一部切り欠かれて形成されている。
【００３１】
また、第１及び第２空間１７１ａ，１７１ｂを形成する第１及び第２仕切蓋１６５，１６６は、小孔６１ａ，６２ａが開口する端面に向かって垂直に折り返されており、折り返されることによって第１及び第２空間がそれぞれ２つの空間に仕切られる。第１仕切蓋１６５が折り返されて形成される第１仕切部１６４ａによって第１空間１７１ａは、第１仕切蓋が切り欠かれて小孔６１ａが開放する第１開放空間１７２ａと、第１仕切蓋によって閉塞した第２閉塞空間１７３ｂとに仕切られる。第２仕切蓋１６６が折り返されて形成される第２仕切部１６４ｂによって第２空間１７１ｂは、第２仕切蓋が切り欠かれて小孔６２ａが開放する第２開放空間１７２ｂと、第２仕切蓋により閉塞した第１閉塞空間１７３ａとに仕切られる。
【００３２】
このようにして形成されるフィルタユニット１６０は、第１開放空間１７２ａに開口する小孔が第２空間側で第１閉塞空間１７３ａに開口し、第１閉塞空間１７３ａに開口する残りの小孔が第１空間側で第２閉塞空間１７３ｂに開口し、第２閉塞空間１７３ｂに開口する残りの小孔が第２空間側で第２開放空間１７２ｂに開口する。このように、第１仕切部１６４ａで仕切られて隣り合う第１開放空間１７２ａと第２閉塞空間１７３ｂとは、第２空間１７１ｂ側の第１閉塞空間１７３ａとフィルタ体の小孔６１ａ，６２ａを介して連通し、第２仕切部１６４ｂで仕切られて隣り合う第２開放空間１７２ｂと第１閉塞空間１７３ａとは、第１空間１７１ａ側の第２閉塞空間１７３ｂとフィルタ体の小孔６１ａ，６２ａを介して連通しており、第１仕切蓋１６５を切り欠いて形成される入口孔１６５ｂから第２仕切蓋１６６を切り欠いて形成される出口孔１６６ｂに至って、第１及び第２閉塞空間１７３ａ，１７３ｂと小孔６１ａ、６２ａとを介して連通する折返流路１７０がフィルタユニット１６０内に形成される。
【００３３】
このように、側覆紙１６３と、仕切部１６４を一体に形成した第１及び第２仕切蓋１６５，１６６とをフィルタ体６０に覆って設けた本発明に係るフィルタユニット１６０は、第１開放空間１７２ａから第２開放空間１７２ｂに至って、内面に活性炭が設けられてなる小孔６１ａ，６２ａ内を３回通過する折返流路が形成されるように構成されている。このため、フィルタユニット１６０内に流入する流体がフィルタ体の小孔６１ａ，６２ａ内を通過する距離を稼ぐことができ、フィルタユニット１６０を製作するにあたって、吸着能を低下させることなくフィルタ体６０のサイズを小孔が延びる方向に対して縮小することができる。同時にフィルタ体６０のサイズ縮小に際して小孔６１ａ，６２ａの大きさを小さくするなどしてフィルタ密度を高くする必要もないため、フィルタユニットを通過するときの圧力損失の上昇を抑えたフィルタユニットを提供することができる。
【００３４】
本構成によるフィルタ装置１５０は、フィルタ体６０と同様にして紙材で形成される側覆紙１６３と、第１及び第２仕切蓋１６５，１６６とをフィルタ体６０の外側面に設けた一体のフィルタユニット１６０を備えて構成される。このため、フィルタユニット１６０の交換時に分解分別等を必要とせずフィルタ体６０とともにそのまま廃棄処分して燃焼処理できる等、処理コストを抑えることができる。
【００３５】
続いて、このように折返流路１７０が形成されるように構成されて小型化が可能となった上記フィルタユニット１６０を備えたフィルタ装置について説明する。図３に分解した状態を示すように本発明に係るフィルタ装置１５０は、上記フィルタユニット１６０と、フィルタユニット１６０を収容するケース１５３と、ケース１５３に取り付けられるファン５７、ダクト５２ａ，５２ｂとから構成される。
【００３６】
フィルタユニット１６０を収容するケース１５３は、外形が上面を開放した矩形箱状に形成され、上述実施例のケース５３と同様にして例えばフェノール樹脂、メラミン樹脂等の熱硬化性樹脂あるいはアルミ等の板金材によって製作される。また、ケース１５３の内部は２枚の板材１５５，１５６によって左から順に流入空間１７４、収容空間１７５、流出空間１７６の３つの空間が形成されている。なお、真中の収容空間１７５はフィルタユニット１６０を上面から嵌入させてちょうど整合する寸法に形成されている。なお、左板１５５には開口部１５５ｂ、右板１５６には開口部１５６ｂがそれぞれ設けられており、フィルタユニット１６０が収容される収容空間１７５と流入空間１７４及び流出空間１７６とがそれぞれ連通するように形成されている。
【００３７】
ケースの左端面１５３ａは、流入空間１７４に開口する円筒状のダクト連結部１５３ｃが外方に突出して設けられており、吸入ダクト５２ａを連結可能に形成されている。同様にしてケースの右側面１５３ｂにおいても、流出空間１７６に開口する円筒状のダクト連結部１５３ｄが外方に突出して設けられ、排出ダクト５２ｂを連結可能に形成されている。
【００３８】
また、ファン５７が、流出空間１７６内に開口部１５６ｂとダクト連結部１５３ｄとの間に介設されている。なお、上述実施例と同様にしてファン５７は、キャビネット１内の電源ボックスに接続され、スロットマシンＳＭの電源がオン状態であるときに稼動するように構成されている。
【００３９】
このようにして構成される本構成例によるフィルタ装置１５０を、上述実施例と同様にして、ケースの１５３の収容空間１７５内にフィルタユニット１６０を収容して左板１５５の開口部１５５ｂを第１開放空間１７２ａに繋げるとともに右板１５６の開口部１５６ｂを第２開放空間１７２ｂに繋げ、ケース１５３の上面開放部を蓋材（図示せず）で覆って密閉したケース１５３をスロットマシンＳＭの前扉２の背面側に配設し、吸入ダクト５２ａの他端を灰皿２４ｄに設けられた貫通孔に繋げ、排出ダクト５２ｂの他端をキャビネット１内で開口させる。
【００４０】
このように構成される本発明に係るフィルタ装置１５０は、電源ボックスの電源がオン状態となってスロットマシンＳＭが遊技に供されると、ファン５７が駆動し、吸入ダクト５２ａから排出ダクト５２ｂに流れる気流が形成される。これに伴って灰皿２４ｄの周辺空気がパンチングメタル５１を通過して吸入ダクト５２ａ内に導かれ、ケース１５３の流入空間１７４内に流入する。
【００４１】
流入空間１７４内に流入した空気は、開口部１５５ｂから収容空間１７５内に導かれてフィルタユニット１６０の第１開放空間１７２ａに流入して第２開放空間１７２ｂに至るまで、第１及び第２閉塞空間１７３ａ，１７３ｂとフィルタ体の小孔６１ａ，６２ａとを介して形成される折返流路１７０を通過して、第２開放空間１７２ｂに導かれる。
【００４２】
第２開放空間１７２ｂに導かれた空気は、フィルタ体の小孔６１ａ，６２ａ内を通過する過程で小孔の内面に揮発性有機物、悪臭成分が吸着され、清浄化された状態となって流出空間１７６に流入して排出ダクト５２ｂに導かれ、キャビネット１内に放出される。キャビネット１内に放出された清浄空気は排気孔１１からキャビネット１の外部に放出され、この過程で、例えば図５に破線矢印Ｗで示すように、制御基板Ｂなどの強制冷却が行われる。
【００４３】
このように、本発明に係るフィルタ装置１５０は、折返流路を有して小型化されたフィルタユニット１６０と、このフィルタユニット１６０を収容したケース１５３とから構成されている。このため、ケース１５３のサイズを縮小して形成して装置を構成することができるため、装置が小型化されてスロットマシンの前扉の背面といった狭小なスペースにおいても配設することができる。さらに、このような狭小なスペースに配設可能となったことより、スロットマシンの灰皿近傍の空気を清浄化することが可能となるなど、従来ではレイアウト上の問題から装置の配設が困難であったスペース周辺において、効率的な浄化を行うことができる。さらに、スロットマシンＳＭが配設される遊技施設においては、施設内にスロットマシンが近接立設されて左右の喫煙遊技者のタバコの副流煙害を被りやすい環境にあったが、本発明に係るフィルタ装置１５０に繋げられる吸入ダクト５２ａの一端開口が灰皿２４ｄの近傍に開口するように設けられることによりこの害の軽減に寄与することができる。
【００４４】
また、本実施例のようにスロットマシンＳＭの前扉２の背面に配設される場合においては、遊技中に密閉空間となるキャビネット１内に清浄化した空気を放出することにより遊技装置の稼動に伴って発せられる熱を拡散させることができ、この熱によって生じるおそれのある制御基板等の遊技装置の誤作動の防止に寄与することができる。
【００４５】
なお、本実施例においてファン５７が、スロットマシンＳＭの電源ボックスのオン状態で常に駆動する形態を例示したが、間欠的に駆動するように制御してもよく、例えば一定時間間隔で稼動状態と停止状態とを繰り返す制御を行ってもよい。また、遊技状態にあるか否かにほぼ連動させるように、例えば、スロットマシンの遊技メダルがクレジットされている状態のときに駆動させる制御を行ってもよいし、スタートレバーにセンサとタイマを配設してスタートレバーが叩かれたら駆動を開始させてレバーが叩かれて一定時間が経過すると停止させるような制御を行ってもよい。また喫煙状態にあるか否かにほぼ連動させるように、例えば、受皿部２４における灰皿２４ｄの近傍に煙センサあるいは温度センサを配設してセンサの検出信号に基づいて制御する方法としてもよい。このような間欠駆動制御により、本発明に係るフィルタ装置においてファン５７およびフィルタ体６０の耐用期間を延長させることができる。
【００４６】
なお、フィルタ装置の空気流路のいずれかの位置、例えばファンの前後のいずれかに、冷却装置（例えば、小型の電子冷却器等）を取り付けて構成することが好ましい。このような構成とすることにより、排出ダクトから放出される空気温度を下げることができ、例えばスロットマシンの前扉の背面に配設される場合においてはキャビネット内に蓄積される熱をより効果的に拡散させることができる。
【００４７】
なお、本実施例では、本発明に係るフィルタ装置を、箱型遊技機であるスロットマシンＳＭの前扉２の背面側に配設して例示したが、パチンコ機等の縦型遊技機の前面を覆って設けられる遊技盤や球皿等の背面側に設けても同様に適用し同様の効果を得ることができる。さらに、遊技機のみの適用に限られず、従来レイアウト上の問題から装置を配設することが困難であった他の狭小なスペースにおいても同様に適用し同様の効果を得ることができる。また、このような小型のフィルタ装置に適用に限られず、大型の換気機器のフィルタ部として用いることも可能で同様の効果を得ることができる。
【図面の簡単な説明】
【００４８】
【図１】本発明に係るフィルタユニットの外観図である
【図２】図１の矢印II−IIに沿って示す断面図である。
【図３】本発明に係るフィルタ装置の分解斜視図である
【図４】本発明に係るフィルタ装置を備える遊技機の一例として挙げるスロットマシンの正面図である。
【図５】上記スロットマシンの側断面図である。
【符号の説明】
【００４９】
ＳＭ  スロットマシン
Ｂ  制御基板
Ｒ  リール装置
（Ｒａ  左リール、Ｒｂ  中リール、Ｒｃ  右リール）
Ｗ  放出空気
１  キャビネット
２  前扉
２０  フロントマスク
２１  上パネル
（２１ａ  放音部、２１ｂ  演出表示装置）
２２  中パネル
（２２ａ  透過窓、２２ｂ  メダル数表示部）
２３  下パネル
２４  受皿部
（２４ａ  メダル受け皿、２４ｂ  メダル払出口、２４ｃ  放音部、２４ｄ  灰皿）
３０  操作部
３１  メダル投入口
３２  ベットボタン
３３  スタートレバー
３４  ストップスイッチ
（３４ａ  左スイッチ、３４ｂ  中スイッチ、３４ｃ  右スイッチ）
３５  精算スイッチ
３６  メダル返却スイッチ
５１  パンチングメタル
５２  ダクト
（５２ａ  吸入ダクト、５２ｂ  排出ダクト）
５７  ファン
６０  フィルタ体
６１  第１フィルタ
（６１ａ  小孔）
６２  第２フィルタ
（６２ａ  小孔）
１５０  フィルタ装置
１５３  ケース
（１５３ａ  左側面、１５３ｂ  右側面、１５３ｃ，１５３ｄ  ダクト連結部）
１５５  左板
（１５５ｂ  開口部）
１５６  右板
（１５６ｂ  開口部）
１６０  フィルタユニット
１６３  側覆紙
１６４  仕切部
（１６４ａ  第１仕切部、１６４ｂ  第２仕切部）
１６５  第１仕切蓋
（１６５ｂ  入口孔）
１６６  第２仕切蓋
（１６６ｂ  出口孔）
１７０  折返流路
１７１ａ  第１空間、１７１ｂ  第２空間
１７２ａ  第１開放空間、１７２ｂ  第２開放空間
１７３ａ  第１閉塞空間、１７２ｂ  第２閉塞空間
１７４  流入空間
１７５  収容空間
１７６  流出空間
【図１】
2005229961.tif 000003
【図２】
2005229961.tif 000004
【図３】
2005229961.tif 000005
【図４】
2005229961.tif 000006
【図５】
2005229961.tif 000007
【手続補正書】
【提出日】平成16年3月1日(2004.3.1)
【手続補正１】
【補正対象書類名】明細書
【補正対象項目名】００１９
【補正方法】変更
【補正の内容】
【００１９】
本発明に係るフィルタ装置を配設する遊技機の一例として挙げるスロットマシンの全体的な構成について、図４，図５を参照してまず説明する。このスロットマシンＳＭは、前面に矩形状の開口を有した略矩形箱状に形成されるキャビネット１と、このキャビネット１の左側縁部にスライドヒンジを介して開閉可能に取り付けられる前扉２とから構成される箱型遊技機の一種である。
【手続補正２】
【補正対象書類名】明細書
【補正対象項目名】００２０
【補正方法】変更
【補正の内容】
【００２０】
キャビネット１は、図５に側断面図を示すように矩形箱状に形成されており、キャビネット１内には、リール装置Ｒ、制御基板Ｂ、電源ボックスなどの遊技装置が配設される。前扉２は、キャビネット１の矩形状開口を覆う形状に形成されたフレームに、上パネル部２１、中パネル部２２、下パネル部２３を備えて成形されるとともに、遊技媒体である遊技メダルを受容、貯留する受け皿２４ａを有する受皿部２４、遊技操作のための操作部３０などを前面に設けて構成されている。
【手続補正３】
【補正対象書類名】明細書
【補正対象項目名】００２５
【補正方法】変更
【補正の内容】
【００２５】
また、受皿部２４においては、遊技者が喫煙しながら遊技を行えるように、上面を開放して形成される灰皿２４ｄがメダル受け皿２４ａの左側部に設けられている。さらに、この灰皿２４ｄの上方部には前後に貫通する丸孔（図示せず）が穿設されており、この貫通孔には図４に示すようにパンチングメタル５１が正面側から覆設されている。
【手続補正４】
【補正対象書類名】明細書
【補正対象項目名】００２６
【補正方法】変更
【補正の内容】
【００２６】
このスロットマシンＳＭは、図４に正面図を示すように、キャビネット１および前扉２の互いの右側縁部に設けられる施錠装置により、常には前扉２を閉鎖姿勢とし、キャビネット１内部を密閉空間として遊技に供される。キャビネット１内は遊技中に密閉空間となって熱を蓄積しやすいため、図示するように例えばキャビネット１の背面には、熱を外部に放出するための排気孔１１が設けられている。